(57)【要約】      （修正有）【課題】口紅等が最後に使い切るまでスムーズに出るようにする。【解決手段】口紅等を固定する皿部材を皿部材筒部と皿部材皿部に分離する。回転筒の内側に皿部材筒部と皿部材皿部とを上下動可能に取り付ける。固定筒の内側に回転筒を回動可能に取り付ける。皿部材皿部と皿部材筒部との間に接続部材を取り付ける。皿部材皿部に突起を設け、固定筒の内側の螺旋溝に突起を取り付ける。皿部材皿部に取り付けた突起は回転筒に取り付けた縦割孔を移動できるようにする。皿部材皿部に取り付けた突起は固定筒の内側の螺旋溝を移動できるようにする。【選択図】図７
2008023278.tif 000002
【特許請求の範囲】
【請求項１】
口紅等を固定する皿部材を皿部材筒部と皿部材皿部に分離し、皿部材筒部の外側に凹凸をつけて、回転筒の内側に皿部材筒部と皿部材皿部とを上下動可能に取り付け、皿部材筒部に対して皿部材皿部を上動可能に取り付け、回転筒に縦割孔を取り付け、回転筒に回転把持部を取り付け、回転筒にリングを取り付け、リングの内側に突起を取り付け、固定筒の内側に回転筒を回動可能に取り付け、固定筒の内側に螺旋溝を取り付け、固定筒の内側の螺旋溝に突起を取り付け、皿部材皿部に突起を取り付け、皿部材皿部に取り付けた突起は回転筒に取り付けた縦割孔を移動できるようにし、皿部材皿部に取り付けた突起は固定筒の内側の螺旋溝を移動できるようにし、皿部材皿部に取り付けた突起が固定筒の内側の螺旋溝の下端から螺旋溝の突起まで上下動する第一工程と、皿部材皿部に取り付けた突起が固定筒の内側の螺旋溝の突起から螺旋溝の上端まで上下動する第二工程とを、固定筒の内側の螺旋溝に突起を取り付けることで明確にし、固定筒の内側に取り付けた螺旋溝のリードは螺旋溝の下端から螺旋溝の突起までに比べて螺旋溝の突起から螺旋溝の上端までを短くし、皿部材筒部の外側の凹凸とリングの内側の突起で皿部材筒部の上昇移動を止める事ができて、皿部材皿部を皿部材筒部に対して上昇させることで、収納容器から口紅等を全て出し切るようにした、以上のことを特徴とする口紅等の収納容器。
【請求項２】
口紅等を固定する皿部材を皿部材筒部と皿部材皿部に分離し、皿部材筒部の外側に凹凸をつけて、回転筒の内側に皿部材筒部と皿部材皿部とを上下動可能に取り付け、皿部材筒部に対して皿部材皿部を上動可能に取り付け、回転筒に縦割孔を取り付け、回転筒に回転把持部を取り付け、回転筒にリングを取り付け、リングの内側に突起を取り付け、固定筒の内側に回転筒を回動可能に取り付け、皿部材皿部と皿部材筒部との間に接続部材を取り付け、固定筒の内側に螺旋溝を取り付け、固定筒の内側の螺旋溝に突起を取り付け、皿部材皿部に突起を取り付け、皿部材皿部に取り付けた突起は回転筒に取り付けた縦割孔を移動できるようにし、皿部材皿部に取り付けた突起は固定筒の内側の螺旋溝を移動できるようにし、皿部材皿部に取り付けた突起が固定筒の内側の螺旋溝の下端から螺旋溝の突起まで上下動する第一工程と、皿部材皿部に取り付けた突起が固定筒の内側の螺旋溝の突起から螺旋溝の上端まで上下動する第二工程とを、固定筒の内側の螺旋溝に突起を取り付けることで明確にし、固定筒の内側に取り付けた螺旋溝のリードは螺旋溝の下端から螺旋溝の突起までに比べて螺旋溝の突起から螺旋溝の上端までを短くし、皿部材筒部の外側の凹凸とリングの内側の突起で皿部材筒部の上昇移動を止める事ができて、皿部材皿部を皿部材筒部に対して上昇させることで、収納容器から口紅等を全て出し切るようにした、以上のことを特徴とする口紅等の収納容器。
【請求項３】
口紅等を固定する皿部材を皿部材筒部と皿部材皿部に分離し、皿部材筒部の外側に凹凸をつけて、回転筒の内側に皿部材筒部と皿部材皿部とを上下動可能に取り付け、皿部材筒部に対して皿部材皿部を上動可能に取り付け、回転筒に縦割孔を取り付け、回転筒に回転把持部を取り付け、回転筒にリングを取り付け、リングの内側に突起を取り付け、固定筒の内側に回転筒を回動可能に取り付け、固定筒の内側に螺旋溝を取り付け、固定筒の内側の螺旋溝に突起を取り付け、皿部材皿部に突起を取り付け、皿部材皿部に取り付けた突起は回転筒に取り付けた縦割孔を移動できるようにし、皿部材皿部に取り付けた突起は固定筒の内側の螺旋溝を移動できるようにし、皿部材皿部に取り付けた突起が固定筒の内側の螺旋溝の下端から螺旋溝の突起まで上下動する第一工程と、皿部材皿部に取り付けた突起が固定筒の内側の螺旋溝の突起から螺旋溝の上端まで上下動する第二工程とを、固定筒の内側の螺旋溝に突起を取り付けることで明確にし、固定筒の内側に取り付けた螺旋溝のリードは螺旋溝の下端から螺旋溝の突起までに比べて螺旋溝の突起から螺旋溝の上端までを短くし、固定筒の内側に取り付けた螺旋溝のリードは螺旋溝の突起から螺旋溝の上端に近づくにつれて段々短くなり、皿部材筒部の外側の凹凸とリングの内側の突起で皿部材筒部の上昇移動を止める事ができて、皿部材皿部を皿部材筒部に対して上昇させることで、収納容器から口紅等を全て出し切るようにした、以上のことを特徴とする口紅等の収納容器。
【請求項４】
口紅等を固定する皿部材を皿部材筒部と皿部材皿部に分離し、皿部材筒部の外側に凹凸をつけて、回転筒の内側に皿部材筒部と皿部材皿部とを上下動可能に取り付け、皿部材筒部に対して皿部材皿部を上動可能に取り付け、回転筒に縦割孔を取り付け、回転筒に回転把持部を取り付け、回転筒にリングを取り付け、リングの内側に突起を取り付け、固定筒の内側に回転筒を回動可能に取り付け、皿部材皿部と皿部材筒部との間に接続部材を取り付け、固定筒の内側に螺旋溝を取り付け、固定筒の内側の螺旋溝に突起を取り付け、皿部材皿部に突起を取り付け、皿部材皿部に取り付けた突起は回転筒に取り付けた縦割孔を移動できるようにし、皿部材皿部に取り付けた突起は固定筒の内側の螺旋溝を移動できるようにし、皿部材皿部に取り付けた突起が固定筒の内側の螺旋溝の下端から螺旋溝の突起まで上下動する第一工程と、皿部材皿部に取り付けた突起が固定筒の内側の螺旋溝の突起から螺旋溝の上端まで上下動する第二工程とを、固定筒の内側の螺旋溝に突起を取り付けることで明確にし、固定筒の内側に取り付けた螺旋溝のリードは螺旋溝の下端から螺旋溝の突起までに比べて螺旋溝の突起から螺旋溝の上端までを短くし、固定筒の内側に取り付けた螺旋溝のリードは螺旋溝の突起から螺旋溝の上端に近づくにつれて段々短くなり、皿部材筒部の外側の凹凸とリングの内側の突起で皿部材筒部の上昇移動を止める事ができて、皿部材皿部を皿部材筒部に対して上昇させることで、収納容器から口紅等を全て出し切るようにした、以上のことを特徴とする口紅等の収納容器。
【発明の詳細な説明】
【技術分野】
【０００１】  本発明は、棒状の口紅等の収納容器において、口紅等を固定する皿部材を皿部材筒部と皿部材皿部に分離して二重構造にし、皿部材皿部を皿部材筒部に対して上昇させることで、収納容器から口紅等を全て出し切る、口紅等の収納容器に関する技術分野である。
【背景技術】
【０００２】  棒状の口紅等の収納容器において、口紅等を固定する皿部材を、皿部材筒部と皿部材皿部に分離して二重構造にし、収納容器から口紅等を全て出し切る発明は色々と有ります。従来の技術としては、皿部材を化粧料収納中皿（皿部材筒部）と押し出し板（皿部材皿部）に分け、化粧料収納中皿と押し出し板の間に残った口紅を化粧に使うには、押し出し板に軸部を取り付け、軸部に環状突起を複数取り付け、回転基台の内側に押し出し部材を押し付けて、化粧料収納中皿に対して押し出し板を押し上げることによって、口紅等を収納容器から出し切る容器（例えば、特許文献１参照。）。通常、口紅を使うには、収納容器から口紅の一部を出して使う。この時に、口紅が足りなくなったら、この特許文献１の収納容器では、化粧料収納中皿と押し出し板（押し出し部材）とを回転基台の内側まで（一番奥まで）下げないと、口紅を適量出し補充することはできない。これでは、化粧の時に、口紅が足りなくなる毎に、化粧料収納中皿と押し出し板（押し出し部材）とを回転基台の内側まで下げ、口紅を適量出すことは、化粧の中断時間が長く、口紅を適量出すことに手間と時間がかかり不都合である。また、化粧料収納中皿の穴と軸部の環状突起とで口紅の出量を調整するので、口紅の上昇移動が段階的になり、口紅がスムーズに上昇しない。また別の発明は、皿部材を化粧料収納筒（皿部材筒部）と押し出し部材（皿部材皿部）に分け、横割孔と縦割孔とを上端開口の回転筒に取り付けた（例えば、特許文献２参照。）。この特許文献２の収納容器では、化粧料収納筒に取り付けた化粧料収納筒突子が回転筒の横割孔を横に移動する間に、つまり、化粧料収納筒が押し出し部材に対して回転している間に、押し出し部材に取り付けた押し出し部材突子が上昇することで、化粧料収納筒に対して押し出し部材が上昇する。口紅が足りなくなったら、そのばで足りなくなった口紅を補充することができる。しかし、化粧料収納筒が押し出し部材に対して回転するので、化粧料収納筒と押し出し部材との間に捩れが生じる。化粧料収納筒と押し出し部材との間が捩れると、化粧料収納筒と押し出し部材に固定していた部分の口紅が変形し、化粧料収納筒と押し出し部材に固定していた口紅の周りに亀裂が生じ、化粧料収納筒と押し出し部材に固定していた口紅が不安定になり、何回か繰り返すと、口紅が収納容器から落ちてしまう。また別の発明は、従動部材に第２溝とストッパを取り付けた（例えば、特許文献３参照。）。この特許文献３の収納容器では、従動部材に第２溝とストッパを取り付けてあるので、口紅の上下動が段階的になり、口紅がスムーズに上昇しない。また、特許文献３の収納容器は、本発明の口紅等の収納容器と比べると、部品の数が多く、構造が複雑で、安価に生産することは困難である。よって、特許文献３の収納容器の再利用を考えている。【０００３】
【特許文献１】  実開昭６２−６１６１３号公報
【特許文献２】  実開昭６０−４１８４７号公報
【特許文献３】  特許第３２９７２８３号公報
【発明の開示】
【発明が解決しようとする課題】
【０００４】  口紅等を固定する皿部材を皿部材筒部と皿部材皿部に分離して二重構造にし、収納容器から口紅等を全て出し切る技術において、皿部材筒部に対する皿部材皿部の上下動可能場所は収納容器の先端付近とする。【０００５】  本発明の口紅等の収納容器において、口紅等が出入りする側を上側とする。【０００６】  皿部材筒部と皿部材皿部とが相対的に位置関係を同じにして、固定筒および回転筒の内側を一緒に上下動する工程を第一工程とする。【０００７】  皿部材皿部が皿部材筒部に対して相対的に位置関係を変えて、固定筒および回転筒の内側を上下動する工程を第二工程とする。この時、皿部材皿部が皿部材筒部に対して上昇移動することができる。【０００８】  皿部材筒部に対する皿部材皿部の上下動は、段階的な上下動でなく、無段階的でスムーズな上下動にし、口紅等が最後に使い切るまでスムーズに上昇するようにする。【０００９】  皿部材皿部に対して皿部材筒部が回転しない。【００１０】  第二工程において、口紅等を収納容器から出す時に、皿部材皿部が皿部材筒部に対して上昇移動する。口紅等を収納する時は、皿部材皿部が皿部材筒部に対して下降移動する。これを繰り返すと、皿部材皿部が皿部材筒部に対して上昇移動と下降移動を繰り返すので、皿部材筒部と皿部材皿部に取り付けた口紅等は不安定になり、口紅等は皿部材筒部と皿部材皿部から落ちてしまう。よって、皿部材皿部が皿部材筒部に対して下降移動しない。【００１１】  固定筒に対して、回転筒を回転させた時に、口紅等が進む距離は第一工程の時が長く、第二工程の時は短くし、使用者が第一工程の時と第二工程の時をはっきり区別できるようにする。
【課題を解決するための手段】
【００１２】  口紅等を固定する皿部材を皿部材筒部と皿部材皿部に分離して二重構造にする。【００１３】  皿部材皿部に突起を取り付ける。【００１４】  皿部材皿部に取り付けた突起は回転筒の縦割孔を上下動できるようにする。【００１５】  第一工程の時は、皿部材筒部と皿部材皿部とが一緒に回転筒の内側を上下動できるようにする。【００１６】  第二工程の時は、皿部材筒部に対して皿部材皿部が上昇移動できるようにする。皿部材皿部が皿部材筒部に対して下降移動は一切しない。【００１７】  皿部材皿部に対して皿部材筒部が回転すると、皿部材筒部と皿部材皿部に固定した口紅等の周りが変形し、口紅等の周りに亀裂ができ、口紅等が皿部材筒部と皿部材皿部から落ちやすいので、皿部材皿部に対して皿部材筒部が全く回転しない。【００１８】  固定筒の内側に螺旋溝を取り付け、皿部材皿部に取り付けた突起が固定筒の内側の螺旋溝を上下動できるようにする。【００１９】  皿部材皿部と皿部材筒部との間に接続部材を取り付ける方法と、皿部材皿部と皿部材筒部との間を直接取り付ける方法と、二種類の方法がある。【００２０】  先ず、皿部材皿部と皿部材筒部との間に接続部材を取り付ける方法では、この接続部材により、ある一定の荷重（力）以下では、皿部材皿部と皿部材筒部とを固定する。また、この接続部材により、ある一定の荷重（力）以上では、皿部材筒部に対して皿部材皿部が上下動することができる。【００２１】  第一工程の時は、皿部材皿部と皿部材筒部との間に取り付けた接続部材の摩擦力によって、皿部材筒部と皿部材皿部は固定している。つまり、ある一定の荷重以下であるので、皿部材皿部と皿部材筒部とを固定している。【００２２】  第二工程の時は、皿部材皿部と、皿部材筒部と、その間に取り付けた接続部材との関係において、皿部材皿部と接続部材の間が滑り、または、皿部材筒部と接続部材の間が滑り、皿部材筒部に対して皿部材皿部が上下動できるようにする。つまり、ある一定の荷重以上であるので、皿部材筒部に対して皿部材皿部が上昇移動することができる。【００２３】  よって、皿部材筒部に対して皿部材皿部が上昇し、口紅等の収納容器から口紅等を全て出すことができる。皿部材皿部に取り付けた突起が螺旋溝を上昇するので、皿部材皿部は皿部材筒部に対して無段階的でスムーズな上昇移動になる。【００２４】  第一工程と第二工程とを明確にするためと使い勝手を良くするため、固定筒の内側の螺旋溝に突起を取り付ける。【００２５】  第一工程の時は、皿部材皿部に取り付けた突起は、固定筒の内側の螺旋溝の下端から螺旋溝の突起まで上下動することができる。【００２６】  第一工程から第二工程に移るときは、皿部材皿部に取り付けた突起が螺旋溝の突起を乗り越える必要がある。【００２７】  第二工程の時は、皿部材皿部に取り付けた突起は、固定筒の内側の螺旋溝の突起から螺旋溝の上端まで上下動することができる。【００２８】  固定筒の内側に取り付けた螺旋溝のリード（ピッチ）は、螺旋溝の下端から螺旋溝の突起までに比べて、螺旋溝の突起から螺旋溝の上端までを短くする。つまり、固定筒の内側に取り付けた第二工程の螺旋溝のリードは第一工程の螺旋溝のリードより短くする。また、固定筒の内側に取��付けた螺旋溝のリードが螺旋溝の突起から螺旋溝の上端までにおいて、上端に近づくにつれて段々短くなる。よって、使用者が第一工程の時と第二工程の時をはっきり区別できるようになる。【００２９】  固定筒の内側の螺旋溝に突起を取り付ける方法と、同様に、回転筒の縦割孔に突起を取り付ける方法がある。【００３０】  部品と部品の間に多少の遊びがあるので、回転筒に回転の為に加えられた力の伝動には、極短時間であるが時間差がある。回転筒に加えられた回転力は、最初に、回転筒から皿部材皿部に取り付けた突起に伝動する。次に、その突起が螺旋溝を上下動する力になる。その後、その突起が螺旋溝を上下動する力がその突起の縦割孔の上下動する力となる。【００３１】  この時に、摩擦力等により、伝動する力の大きさは、最初が大きく、次に進むにつれて段々と小さくなる。ゆえに、固定筒の内側の螺旋溝に突起を取り付ける方法と回転筒の縦割孔に突起を取り付ける方法を比べると、伝動される力の大きさは、固定筒の内側の螺旋溝に突起を取り付ける方法は伝動される力が大きく、回転筒の縦割孔に突起を取り付ける方法は伝動される力が小さい。【００３２】  よって、このような突起の取り付け方法は、固定筒の内側の螺旋溝に突起を取り付ける方法が優れていて、回転筒の縦割孔に突起を取り付ける方法は劣っている。【００３３】  口紅等を収納するときは、皿部材皿部に取り付けた突起が螺旋溝を下降移動する。よって、口紅等を全て収納容器に収納することができる。皿部材皿部は皿部材筒部に対して上昇移動した後では、皿部材皿部は皿部材筒部に対してその位置を堅持し、上昇移動した状態のままで、皿部材皿部と皿部材筒部との相対的位置関係は変わらない。下降移動は、皿部材皿部と皿部材筒部との相対的位置関係を変えないで上降移動する。【００３４】  接続部材は、接続部材にかかる荷重によって、皿部材皿部と皿部材筒部との間を固定する役目と、皿部材皿部と皿部材筒部との間を滑らせる役目との二種類の役目をする。【００３５】  次に、皿部材皿部と皿部材筒部との間を直接取り付ける方法では、ある一定の荷重以下では、皿部材皿部と皿部材筒部との間の摩擦力によって固定する。また、ある一定の荷重以上では、皿部材皿部と皿部材筒部との間は滑り、皿部材筒部に対して皿部材皿部が上昇移動することができる。【００３６】  第一工程の時は、皿部材皿部と皿部材筒部との間の摩擦力によって、皿部材筒部と皿部材皿部は固定している。【００３７】  第二工程の時は、皿部材皿部と皿部材筒部との間が滑り、皿部材筒部に対して皿部材皿部が上下動できるようにする。【００３８】  よって、皿部材筒部に対して皿部材皿部が上昇し、口紅等の収納容器から口紅等を全て出すことができる。皿部材皿部に取り付けた突起が螺旋溝を上昇するので、皿部材皿部は皿部材筒部に対して無段階的でスムーズな上昇移動になる。【００３９】  口紅等を収納するときは、皿部材皿部に取り付けた突起が螺旋溝を下降移動する。よって、口紅等を全て収納容器に収納することができる。皿部材皿部は皿部材筒部に対して上昇移動した後では、皿部材皿部は皿部材筒部に対してその位置を堅持し、上昇移動した状態のままで、皿部材皿部と皿部材筒部との相対的位置関係���変わらない。下降移動は、皿部材皿部と皿部材筒部との相対的位置関係を変えないで下降移動する。【００４０】  皿部材皿部と皿部材筒部との間に接続部材を取り付ける方法でも、皿部材皿部と皿部材筒部との間を直接取り付ける方法でも、皿部材皿部および皿部材筒部の摩擦する面積が増加すると、摩擦力も大きくなる。よって、第二工程では、回転把持部に加える回転力は、最初は小さく、最後は大きくなる。この摩擦力の大きさの調整で第二工程の回転把持部に加える回転力を調整できる。よって、回転把持部に加える回転力の大きさは、第一工程と第二工程で自由に設定でき、使い勝手の良い口紅等の収納容器であり、以上のことを特徴とする口紅等の収納容器である。
【発明の効果】
【００４１】  高価な口紅等であるため、皿部材を分割していない容器では、皿部材に残された口紅等を筆を用いて取り出していた。この作業を公衆の面前ですることを恥ずかしいと思う人が多かった。本発明の収納容器によって、この問題を解決できる。【００４２】  従来の皿部材を皿部材筒部と皿部材皿部に分離して二重構造にした容器は、容器に欠点が多く、ほとんどの二重構造の容器は商品として生産されなかった。また、部品が複雑で、部品数が多く、生産コストが高くなる二重構造の容器は生産しても極少量であった。【００４３】  本発明の収納容器では、従来の皿部材を分割していない容器に、追加する加工として、主に、皿部材を皿部材筒部と皿部材皿部に分離して二重構造にし、皿部材皿部と皿部材筒部との間に接続部材を取り付けるだけである。または、皿部材を皿部材筒部と皿部材皿部に分離して二重構造にしただけである。以上の簡単な構造であるため、従来の皿部材を分割していない収納容器に比べても、生産コストの上昇は微増である。
【発明の実施するための最良の形態】
【００４４】  発明の実施するための最良の形態を図面を参照して説明する。
図１および図２において、口紅等を固定する皿部材を皿部材筒部Ｃと皿部材皿部Ｄに分離して二重構造にする。
【００４５】  図１および図２において、皿部材皿部Ｄに突起Ｂを取り付ける。この突起Ｂと同様な突起は皿部材筒部Ｃには取り付けない。皿部材筒部Ｃの外側に凹凸をつける。
【００４６】  図１の状態は、第一工程の時である。皿部材の皿部材筒部Ｃと皿部材皿部Ｄとが摩擦力によって固定されている。
【００４７】  図２の状態は、第二工程の時である。第二工程の時は、皿部材皿部Ｄと皿部材筒部Ｃとの間が滑り、皿部材皿部Ｄが皿部材筒部Ｃに対して上昇移動をした状態である。つまり、口紅等を収納容器から全て出し切った状態である。
【００４８】  図３の状態は、第一工程の時である。皿部材筒部Ｃと皿部材皿部Ｄの間に接続部材Ａを取り付けた場合である。皿部材筒部Ｃと接続部材Ａが摩擦力によって固定されている。接続部材Ａと皿部材皿部Ｄが摩擦力によって固定されている。
【００４９】  図４は、口紅等を収納容器から出し切った状態である。皿部材皿部Ｄ、皿部材筒部Ｃ、回転筒Ｈおよび回転筒Ｈに取り付けたリングＫの位置関係を示すもので、皿部材皿部Ｄの一部と皿部材筒部Ｃの一部がリングＫから飛び出ている。しかし、リングＫの内側の突起Ｇによって、皿部材筒部Ｃはこれ以上飛び出ることができない。皿部材筒部Ｃの外側の凹凸とリングＫの内側の突起Ｇで皿部材筒部Ｃの上昇移動を止める事ができる。皿部材筒部Ｃの上昇移動が止まっている間に、皿部材皿部Ｄが皿部材筒部Ｃに対して上昇移動する。
【００５０】  図５は、皿部材皿部Ｄと皿部材筒部Ｃとの間に接続部材Ａを取り付けた場合である。口紅等を出し切った状態の時である。皿部材皿部Ｄ、皿部材筒部Ｃ、回転筒Ｈ、回転筒Ｈに取り付けたリングＫおよび接続部材Ａの位置関係を示すもので、皿部材皿部Ｄの一部と皿部材筒部Ｃの一部がリングＫから飛び出ている。しかし、リングＫの内側の突起Ｇによって、皿部材筒部Ｃはこれ以上飛び出ることができない。皿部材筒部Ｃの外側の凹凸とリングＫの内側の突起Ｇで皿部材筒部Ｃの上昇移動を止める事ができる。皿部材筒部Ｃの上昇移動が止まっている間に、皿部材皿部Ｄが皿部材筒部Ｃに対して上昇移動する。
【００５１】  図６において、回転筒Ｈには、筒部に縦割孔Ｌを取り付けて、上端部にリングＫを取り付けて、下端部に回転把持部Ｊを取り付けた状態である。皿部材皿部Ｄの突起Ｂが回転筒Ｈの縦割孔Ｌを上下動できるようにする。
【００５２】  図６において、リングＫの内側に突起Ｇを取り付けてある。
【００５３】  図７において、固定筒Ｅの内側に螺旋溝Ｆを取り付けた状態である。皿部材皿部Ｄの突起Ｂが固定筒Ｅの内側の螺旋溝Ｆを上下動できるようにする。
【００５４】  図７において、固定筒Ｅの内側の螺旋溝Ｆに突起Ｑを取り付けた状態である。第一工程の時は、皿部材皿部Ｄの突起Ｂが螺旋溝Ｆの下端から螺旋溝Ｆの突起Ｑまで上下動することができる。第二工程の時は、皿部材皿部Ｄの突起Ｂが螺旋溝Ｆの突起Ｑから螺旋溝Ｆの上端まで上下動することができる。
【００５５】  図７において、固定筒Ｅの内側に取り付けた螺旋溝Ｆのリード（ピッチ）は、螺旋溝Ｆの下端から螺旋溝Ｆの突起Ｑまでに比べて、螺旋溝Ｆの突起Ｑから螺旋溝Ｆの上端までを短くする。つまり、固定筒Ｅの内側に取り付けた螺旋溝Ｆのリードは第一工程のときが長く、第二工程の時が短い。
【００５６】  さらに、固定筒Ｅの内側に取り付けた螺旋溝Ｆのリード（ピッチ）が螺旋溝Ｆの突起Ｑから螺旋溝Ｆの上端までにおいて、上端に近づくにつれて段々短くなる。
【００５７】  図８において、本発明の口紅等の収納容器を組み立てた状態である。この図の場合は、皿部材皿部Ｄと皿部材筒部Ｃとの間を直接取り付けている。
【００５８】  図１、図２、図３、図４、図５、図６、図７および図８において、皿部材皿部Ｄの突起Ｂは回転筒Ｈの縦割孔Ｌを上下動できる大きさとする。また、突起Ｂは固定筒Ｅの螺旋溝Ｆを上下動できる大きさとする。第一工程において、皿部材筒部Ｃと皿部材皿部Ｄとは相対的位置関係を固定したまま回転筒Ｈの中を一緒に上下動できる。縦割孔Ｌと皿部材皿部Ｄの突起Ｂとの間の摩擦を少なくするには、突起Ｂに回転輪等の摩擦力減少装置を付けると良い。また、螺旋溝Ｆと皿部材皿部Ｄの突起Ｂとの間の摩擦を少なくするには、突起Ｂに回転輪等の摩擦力減少装置を付けると良い。
【００５９】  図１、図２、図３、図４、図５、図６、図７および図８において、第二工程の時は、皿部材皿部Ｄと皿部材筒部Ｃとの間が滑る。皿部材皿部Ｄと皿部材筒部Ｃとの間に接続部材Ａを取り付けた場合は、皿部材筒部Ｃと接続部材Ａとの間、または、皿部材皿部Ｄと接続部材Ａとの間が滑る。よって、皿部材筒部Ｃに対して皿部材皿部Ｄが上昇移動できるようになる（上動可能になる）。つまり、口紅等Ｐを収納容器から全て出すことができる。皿部材皿部Ｄに取り付けた突起Ｂが螺旋溝Ｆを上昇するので、皿部材皿部Ｄは無段階的でスムーズな上昇移動になる。よって、口紅等Ｐは皿部材皿部Ｄと共にスムーズな上昇移動となる。口紅等Ｐを収納するときは、皿部材皿部Ｄに取り付けた突起Ｂが螺旋溝Ｆを下降移動する。つまり、皿部材皿部Ｄが下降移動し口紅等Ｐを全て容器に収納することができるようにする口紅等の収納容器である。
【００６０】  皿部材皿部Ｂと皿部材筒部Ｃとの間を直接取り付ける方法では、
図１、図２、図４、図６、図７および図８において、口紅等を固定する皿部材を皿部材筒部Ｃと皿部材皿部Ｄに分離し、皿部材筒部Ｃの外側に凹凸をつけて、回転筒Ｈの内側に皿部材筒部Ｃと皿部材皿部Ｄとを上下動可能に取り付け、皿部材筒部Ｃに対して皿部材皿部Ｄを上動可能に取り付け、回転筒Ｈに縦割孔Ｌを取り付け、回転筒Ｈに回転把持部Ｊを取り付け、回転筒ＨにリングＫを取り付け、リングＫの内側に突起Ｇを取り付け、固定筒Ｅの内側に回転筒Ｈを回動可能に取り付け、固定筒Ｅの内側に螺旋溝Ｆを取り付け、固定筒Ｅの内側の螺旋溝Ｆに突起Ｑを取り付け、皿部材皿部Ｄに突起Ｂを取り付け、皿部材皿部Ｄに取り付けた突起Ｂは回転筒Ｈに取り付けた縦割孔Ｌを移動できるようにし、皿部材皿部Ｄに取り付けた突起Ｂは固定筒Ｅの内側の螺旋溝Ｆを移動できるようにし、固定筒Ｅの内側に取り付けた第二工程の螺旋溝Ｆのリードは第一工程の螺旋溝Ｆのリードより短くした、以上のことを特徴とする口紅等の収納容器である。
【００６１】  また、図１、図２、図４、図６、図７および図８において、口紅等を固定する皿部材を皿部材筒部Ｃと皿部材皿部Ｄに分離し、皿部材筒部Ｃの外側に凹凸をつけて、回転筒Ｈの内側に皿部材筒部Ｃと皿部材皿部Ｄとを上下動可能に取り付け、皿部材筒部Ｃに対して皿部材皿部Ｄを上動可能に取り付け、回転筒Ｈに縦割孔Ｌを取り付け、回転筒Ｈに回転把持部Ｊを取り付け、回転筒ＨにリングＫを取り付け、リングＫの内側に突起Ｇを取り付け、固定筒Ｅの内側に回転筒Ｈを回動可能に取り付け、固定筒Ｅの内側に螺旋溝Ｆを取り付け、固定筒Ｅの内側の螺旋溝Ｆに突起Ｑを取り付け、皿部材皿部Ｄに突起Ｂを取り付け、皿部材皿部Ｄに取り付けた突起Ｂは回転筒Ｈに取り付けた縦割孔Ｌを移動できるようにし、皿部材皿部Ｄに取り付けた突起Ｂは固定筒Ｅの内側の螺旋溝Ｆを移動できるようにし、固定筒Ｅの内側に取り付けた第二工程の螺旋溝Ｆのリードは第一工程の螺旋溝Ｆのリードより短くし、第二工程の螺旋溝Ｆのリードは螺旋溝Ｆの突起Ｑから螺旋溝Ｆの上端に近づくにつれて段々と短くなる、以上のことを特徴とする口紅等の収納容器である。
【００６２】  皿部材皿部Ｂと皿部材筒部Ｃとの間に接続部材Ａを取り付けた方法では、
図３、図５、図６および図７において、口紅等を固定する皿部材を皿部材筒部Ｃと皿部材皿部Ｄに分離し、皿部材筒部Ｃの外側に凹凸をつけて、回転筒Ｈの内側に皿部材筒部Ｃと皿部材皿部Ｄとを上下動可能に取り付け、皿部材筒部Ｃに対して皿部材皿部Ｄを上動可能に取り付け、回転筒Ｈに縦割孔Ｌを取り付け、回転筒Ｈに回転把持部Ｊを取り付け、回転筒ＨにリングＫを取り付け、リングＫの内側に突起Ｇを取り付け、固定筒Ｅの内側に回転筒Ｈを回動可能に取り付け、皿部材皿部Ｄと皿部材筒部Ｃとの間に接続部材Ａを取り付け、固定筒Ｅの内側に螺旋溝Ｆを取り付け、固定筒Ｅの内側の螺旋溝Ｆに突起Ｑを取り付け、皿部材皿部Ｄに突起Ｂを取り付け、皿部材皿部Ｄに取り付けた突起Ｂは回転筒Ｈに取り付けた縦割孔Ｌを移動できるようにし、皿部材皿部Ｄに取り付けた突起Ｂは固定筒Ｅの内側の螺旋溝Ｆを移動できるようにし、固定筒Ｅの内側に取り付けた第二工程の螺旋溝Ｆのリードは第一工程の螺旋溝Ｆのリードより短くした、以上のことを特徴とする口紅等の収納容器である。
【００６３】  また、図３、図５、図６および図７において、口紅等を固定する皿部材を皿部材筒部Ｃと皿部材皿部Ｄに分離し、皿部材筒部Ｃの外側に凹凸をつけて、回転筒Ｈの内側に皿部材筒部Ｃと皿部材皿部Ｄとを上下動可能に取り付け、皿部材筒部Ｃに対して皿部材皿部Ｄを上動可能に取り付け、回転筒Ｈに縦割孔Ｌを取り付け、回転筒Ｈに回転把持部Ｊを取り付け、回転筒ＨにリングＫを取り付け、リングＫの内側に突起Ｇを取り付け、固定筒Ｅの内側に回転筒Ｈを回動可能に取り付け、皿部材皿部Ｄと皿部材筒部Ｃとの間に接続部材Ａを取り付け、固定筒Ｅの内側に螺旋溝Ｆを取り付け、固定筒Ｅの内側の螺旋溝Ｆに突起Ｑを取り付け、皿部材皿部Ｄに突起Ｂを取り付け、皿部材皿部Ｄに取り付けた突起Ｂは回転筒Ｈに取り付けた縦割孔Ｌを移動できるようにし、皿部材皿部Ｄに取り付けた突起Ｂは固定筒Ｅの内側の螺旋溝Ｆを移動できるようにし、固定筒Ｅの内側に取り付けた第二工程の螺旋溝Ｆのリードは第一工程の螺旋溝Ｆのリードより短くなり、第二工程の螺旋溝Ｆのリードは螺旋溝Ｆの突起Ｑから螺旋溝Ｆの上端に近づくにつれて段々と短くなる、以上のことを特徴とする口紅等の収納容器である。
【実施例１】
【００６４】  発明の実施例を図面参照して説明する。
図１および図２において、口紅等を固定する皿部材を皿部材筒部Ｃと皿部材皿部Ｄに分離して二重構造にする。皿部材筒部Ｃと皿部材皿部Ｄをステンレス金属で作る。皿部材筒部Ｃの大きさは、高さが１２．５ｍｍ、外形が直径１５ｍｍ、肉厚が１ｍｍの円筒形とする。皿部材筒部Ｃの外側に凹凸をつける。その凹凸の加工は、上端から下方に３ｍｍのところまで外側から削り肉厚を０．３ｍｍとする。また、皿部材皿部Ｄの大きさは、高さが１５ｍｍ、外径が１３ｍｍ、肉厚が１ｍｍの円筒形に上方端を肉厚が１ｍｍの円板で塞いだ形とする。皿部材皿部Ｄに突起Ｂを取り付け、その突起Ｂはステンレス金属で作る。突起Ｂの大きさと形は、突起部分が太さ１ｍｍ、長さ２．６ｍｍの円筒形。皿部材筒部Ｃの一部と皿部材皿部Ｄの一部は密着している。皿部材皿部Ｄと皿部材筒部Ｃとの間は摩擦力で固定する。【００６５】  図４において、回転筒ＨにリングＫを取り付ける。リングＫの内側に突起Ｇを取り付ける。突起Ｇの出っ張りは０．８ｍｍである。【００６６】  図６において、回転筒Ｈには縦割孔Ｌを取り付ける。回転筒ＨおよびリングＫをステンレス金属で作る。回転筒Ｈの大きさは、肉厚が０．５ｍｍの円筒形とし、高さが５９ｍｍ、外径が１６．９ｍｍ。また、回転筒Ｈの側面の上端部から下方に４ｍｍの地点から、下方に幅が１．２ｍｍ、長さが５３ｍｍの縦割孔Ｌの２本を一対にして取り付ける。リングＫの大きさは、外径が１９ｍｍ、縦と横の肉厚が１．７５ｍｍで、他に内側の突起Ｇの出っ張りは０．８ｍｍであり、外角を削ったリング形とする。回転把持部Ｊをプラスチックで作る。回転把持部Ｊの大きさは、高さが９．５ｍｍ、外径が２１ｍｍ、側面の肉厚が２．５ｍｍで、底辺の肉厚が０．７ｍｍの円筒形で、外角を削った形とする。【００６７】  図７において、固定筒Ｅをステンレス金属で作る。固定筒Ｅの大きさは、高さが５８．５ｍｍ、外径が１９ｍｍ、肉厚が１ｍｍの円筒形とする。固定筒Ｅの内側に幅が１．２ｍｍ、深さが０．８ｍｍの螺旋溝Ｆを取り付ける。【００６８】  図７において、固定筒Ｅの内側に取り付けた螺旋溝Ｆのリードは、第一工程の螺旋溝Ｆの下端から螺旋溝Ｆの突起Ｑまでを２０ｍｍにし、第二工程の螺旋溝Ｆの突起Ｑから螺旋溝Ｆの上端までを５ｍｍにする。【００６９】  図７において、固定筒Ｅの上端より下方に１３．４ｍｍの所の螺旋溝Ｆに突起Ｑを取り付ける。螺旋溝Ｆの突起Ｑは−辺が０．５ｍｍの正三角形である。【００７０】  図１、図２、図４、図６、図７および図８において、口紅等を使用するには、まず、第一工程の時は、皿部材筒部Ｃと皿部材皿部Ｄとが相対的に位置関係を同じにして固定筒Ｅおよび回転筒Ｈの内側を一緒に上下動する。この第一工程では皿部材皿部Ｄに取り付けた突起Ｂが螺旋溝Ｆと縦割孔Ｌを上下動する負荷のみであるため、回転把持部Ｊに加える回転力は比較的小さくても口紅等が上下動する。【００７１】  次に、第二工程の時は、皿部材皿部Ｄが皿部材筒部Ｃに対して相対的に位置関係を変えて、固定筒Ｅおよび回転筒Ｈの内側を上下動する。この時、皿部材皿部Ｄが皿部材筒部Ｃに対して上昇移動することができる。皿部材筒部Ｃの内側と皿部材皿部Ｂの外側との間の摩擦する面積が増加すると、摩擦力も大���くなる。よって、第二工程では、回転把持部Ｊに加える回転力は、最初は小さく、最後は大きくなる。この摩擦力の大きさの調整で第二工程の回転把持部Ｊに加える回転力を調整できる。よって、回転把持部Ｊに加える回転力の大きさは、第一工程と第二工程で自由に設定でき、使い勝手の良い口紅等の収納容器であり、以上のことを特徴とする口紅等の収納容器である。
【実施例２】
【００７２】  図３および図５において、口紅等を固定する皿部材を皿部材筒部Ｃと皿部材皿部Ｄに分離して二重構造にする。皿部材筒部Ｃと皿部材皿部Ｄをアルミニウム金属で作る。皿部材筒部Ｃの大きさは、高さが１２．５ｍｍ、外形が直径１５ｍｍ、肉厚が１ｍｍの円筒形とする。皿部材筒部Ｃの外側に凹凸をつける。その凹凸の加工は、上端から下方に４ｍｍのところまで外側から削り肉厚を０．３ｍｍとする。また、皿部材皿部Ｄの大きさは、高さが１５ｍｍ、外径が１２．７ｍｍ、肉厚が１ｍｍの円筒形に上方端を肉厚が１ｍｍの円板で塞いだ形とする。皿部材皿部Ｄに突起Ｂを取り付け、その突起Ｂはステンレス金属で作る。突起Ｂの大きさと形は、突起部分が太さ１ｍｍ、長さ２．８ｍｍの円筒形。【００７３】  図３および図５において、皿部材皿部Ｄと皿部材筒部Ｃとの間に接続部材Ａを取り付ける。その接続部材Ａの大きさと形は、高さが１５ｍｍ、外径が１３ｍｍ、肉厚が０．３ｍｍの円筒形とする。接続部材Ａはプラスチックで作る。【００７４】  プラスチックの接続部材Ａは、接続部材Ａにかかる荷重によって、皿部材皿部Ｄと皿部材筒部Ｃとの間を固定する役目と、皿部材皿部Ｄと皿部材筒部Ｃとの間を滑らせる役目との二種類の役目をする。【００７５】  皿部材皿部Ｂと皿部材筒部Ｃとの間を直接取り付ける方法と比べて、皿部材皿部Ｂと皿部材筒部Ｃとの間に接続部材Ａを取り付けた方法は、接続部材Ａの材質や表面加工などにより、皿部材皿部Ｄと皿部材筒部Ｃとの間を固定する役目と、滑らせる役目との二種類の役目の調節が簡単である。【００７６】  図５において、回転筒ＨにリングＫを取り付ける。リングＫの内側に突起Ｇを取り付ける。突起Ｇの出っ張りは０．８ｍｍで、断面の形が直角三角形である。【００７７】  図６において、回転筒Ｈには縦割孔Ｌを取り付ける。回転筒ＨおよびリングＫをステンレス金属で作る。回転筒Ｈの大きさは、肉厚が０．５ｍｍの円筒形とし、高さが５９ｍｍ、外径が１６．９ｍｍ。また、回転筒Ｈの側面の上端部から下方に４ｍｍの地点から、下方に幅が１．２ｍｍ、長さが５３ｍｍの縦割孔Ｌの２本を一対にして取り付ける。リングＫの大きさは、外径が１９ｍｍ、縦と横の肉厚が１．７５ｍｍで、他に内側の突起Ｇの出っ張りは０．８ｍｍであり、外角を削ったリング形とする。回転把持部Ｊをプラスチックで作る。回転把持部Ｊの大きさは、高さが９．５ｍｍ、外径が２１ｍｍ、側面の肉厚が２．５ｍｍで、底辺の肉厚が０．７ｍｍの円筒形で、外角を削った形とする。【００７８】  図７において、固定筒Ｅをステンレス金属で作る。固定筒Ｅの大きさは、高さが５８．５ｍｍ、外径が１９ｍｍ、肉厚が１ｍｍの円筒形とする。固定筒Ｅの内側に幅が１．２ｍｍ、深さが０．８ｍｍの螺旋溝Ｆを取り付ける。【００７９】  図７において、固定筒Ｅの内側に取り付けた螺旋溝Ｆのリードは、第一工程の螺旋溝Ｆの下端から螺旋溝Ｆの突起Ｑまでを２０ｍｍにする。第二工程の螺旋溝Ｆの突起Ｑから螺旋溝Ｆの上端までを、最初が１０ｍｍで、上端に近づくにつれ段々短くし、最後が５ｍｍにする。【００８０】  図７において、固定筒ＥのＬ端より下方に１３．４ｍｍの所の螺旋溝Ｆに突起Ｑを取り付ける。螺旋溝Ｆの突起Ｑは底辺が０．５ｍｍで高さが０．４ｍｍの二等辺三角形である。【００８１】  図３、図５、図６、図７および図８において、口紅等を使用するには、まず、第一工程の時は、皿部材筒部Ｃと皿部材皿部Ｄとが相対的に位置関係を同じにして固定筒Ｅおよび回転筒Ｈの内側を一緒に上下動する。この第一工程では皿部材皿部Ｄに取り付けた突起Ｂが螺旋溝Ｆと縦割孔Ｌを上下動する負荷のみであるため、回転把持部Ｊに加える回転力は比較的小さくても口紅等が上下動する。【００８２】  次に、第二工程の時は、皿部材皿部Ｄが皿部材筒部Ｃに対して相対的に位置関係を変えて、固定筒Ｅおよび回転筒Ｈの内側を上下動する。この時、皿部材皿部Ｄが皿部材筒部Ｃに対して上昇移動することができる。この時、接続部材Ａと、皿部材筒部Ｃまたは皿部材皿部Ｄとの間が滑るだけの回転力を回転把持部Ｊに加える必要がある。第二工程の時の回転把持部Ｊに加える回転力は第一工程に比べてかなり大きくなる。回転把持部Ｊに加える回転力の大きさは、第一工程の時と第二工程の時で自由に設定でき、使い勝手の良い口紅等の収納容器であり、以上のことを特徴とする口紅等の収納容器である。
【産業上の利用可能性】
【００８３】  総務省統計局の平成１７年５月１日現在の人口推計概算値は女性の人口が６５３９万人である。少なく見積っても、その７割の女性が口紅を使用すると、約４５７７万人の女性が口紅を使用してると考えられる。約４５７７万人の１５％の人が年間に２本の本発明口紅を使用すると、一年間に１３７３万本の本発明の口紅が販売できる。一本当たりの単価を１８００円とすると、２４７億１千万円の販売額が見込むことができ、総売上の２５％が利益とすると、利益額は約６１億７千万円になる。
【図面の簡単な説明】
【００８４】
【図１】本発明に係る口紅等容器について、発明の実施の形態の説明に供し、皿部材を皿部材筒部と皿部材皿部に分割した状態の斜視図で部分断面図である。
【図２】同発明の実施の形態の説明に供し、皿部材を皿部材筒部と皿部材皿部に分割した状態の斜視図で部分断面図である。
【図３】同発明の実施の形態の説明に供し、皿部材を皿部材筒部と皿部材皿部に分割し、皿部材筒部と皿部材皿部の間に接続部材を取り付けた状態の斜視図で部分断面図である。
【図４】同発明の実施の形態の説明に供し、皿部材筒部、皿部材皿部および回転筒の部分断面図である。
【図５】同発明の実施の形態の説明に供し、皿部材筒部、皿部材皿部、接続部材および回転筒の部分断面図である。
【図６】同発明の実施の形態の説明に供し、回転筒の斜視図である。
【図７】同発明の実施の形態の説明に供し、固定筒の断面図である。
【図８】同発明の実施の形態の説明に供し、収納容器全体の部分断面図である。
【符号の説明】
【００８５】Ａ：接続部材。            Ｂ：皿部材皿部に取り付けた突起。  Ｃ：皿部材筒部。
Ｄ：皿部材皿部。          Ｅ：固定筒。                      Ｆ：螺旋溝。
Ｇ：リングの内側の突起。  Ｈ：回転筒。                      Ｊ：回転把持部。
Ｋ：リング。              Ｌ：縦割孔。                      Ｍ：キャップ。
Ｎ：止め具。              Ｐ：口紅等。                      Ｑ：螺旋溝の突起。
【図１】
2008023278.tif 000003
【図２】
2008023278.tif 000004
【図３】
2008023278.tif 000005
【図４】
2008023278.tif 000006
【図５】
2008023278.tif 000007
【図６】
2008023278.tif 000008
【図７】
2008023278.tif 000009
【図８】
2008023278.tif 000010